(57)【特許請求の範囲】
【請求項１】
ケーシングと、このケーシングにヒンジを介して旋回可能に支承されたカバーと、前記ケーシングとカバーとの間に掛け渡され前記カバーの最大開角度を規制するストッパ機構とを備えたタコグラフであって、
前記ストッパ機構は、前記ケーシングとカバーとの間に掛け渡され前記カバー側に高剛性部分を部分的に設けてなるフレキシブルバンド部材と、前記カバーに突設され、前記カバーの閉時に前記高剛性部分の一部に当接して前記フレキシブルバンド部材を前記ヒンジ方向に押圧するガイド部材とを備えていることを特徴とするタコグラフ。
【請求項２】
ケーシングと、このケーシングに旋回可能に支承されたカバーと、前記ケーシングとカバーとの間に掛け渡され前記カバーの最大開角度を規制するストッパ機構とを備えたタコグラフであって、
前記ストッパ機構は、前記ケーシングとカバーとの間に係止部材を介して掛け渡されるフレキシブルバンド部材を備え、前記係止部材は、前記ケーシングおよびカバーに係止される本体部と、この本体部から折曲げ形成されたバンドガイドとを有し、該バンドガイドは中間に前記フレキシブルバンド部材が挿入される挿入孔が、先端に前記フレキシブルバンド部材の表面に当接し、前記カバーの閉時に前記フレキシブルバンド部材を押し込む係合部が各々形成された構成であることを特徴とするタコグラフ
【請求項３】
前記係合部は、前記カバーの全閉時に相手方の係合部と相互に重なって係合するように構成されていることを特徴とする請求項２記載のタコグラフ。
【発明の詳細な説明】
【０００１】
【発明の属する技術分野】
本発明は、カバーの最大開角度を規制するストッパ機構を備えたタコグラフに関するものである。
【０００２】
【従来の技術】
図８および図９は、特公平１−５４６４１号公報に開示されている、従来のタコグラフ１００を示す。このタコグラフ１００は、ケーシング２と、このケーシング２にヒンジ７を介して旋回可能に支承されたカバー３と、ケーシング２とカバー３との間に掛け渡されカバー３の最大開角度を規制するストッパ機構４とを備えて大略構成されている。なお、カバー３にはチャート紙２４が設けられている
上記ストッパ機構４は、ケーシング２とカバー３との間に掛け渡されるフレキシブルバンド部材５と、カバー３に架設されたガイド部材６とを備えている。このフレキシブルバンド部材５は、例えば圧延したポリプロピレンを用いて長尺に成形されており、両端にはそれぞれバックル状の係止部材８、９が取り付けられている。そして、一方の係止部材８をケーシング２の側壁に形成したポケット１２に差し込み、かつ他方の係止部材９をカバー３の側壁に固着したポケット１３に差し込むことによって、ケーシング２とカバー３との間に掛け渡される。
【０００３】
上記ガイド部材６は、フレキシブルバンド部材５がチャート紙２４に掛からないようにするために、カバー３の側壁の一部をチャート紙２４と平行になるように外方に延設して構成されている。なお、図８および図９中、符号２６は、タコグラフの測定装置部分を外部から操作できないように仕切っているカバープレートであり、符号２７は、フレキシブルバンド部材５の側方案内部としてカバープレート２６に形成される切欠きである。
【０００４】
図８に示すように、カバー３の最大開角度は、フレキシブルバンド部材５の緊張により規制されると共に、カバー３の閉時の際のフレキシブルバンド部材５の仕舞込みは、図９に示すようにガイド部材６によるフレキシブルバンド部材５のループ形成により行われる。
【０００５】
【発明が解決しようとする課題】
しかしながら、上記のようにカバー３の最大開角度を規制するストッパ機構４として、ケーシング２とカバー３との間に掛け渡されるひも状のバンド部材５を使用した構成では、次のような問題がある。
【０００６】
すなわち、バンド部材５は任意の方向への可撓性を有しているため、図８のようにカバーが閉じられてバンドが仕舞い込まれた際、バンドが任意の方向、例えば長手方向に対して左右の方向に曲がる可能性がある。このように、バンド部材５が曲がると、ケーシング２やカバー３等に引っ掛かり、開閉操作に支障をきたしたり、チャート紙２４に触れて記録に支障をきたす等の問題が生じていた。
【０００７】
この発明は、上記のような課題を解決するためになされたもので、カバーの閉時にフレキシブルバンド部材の横方向への不規則な曲がりがなく、正確な収納が可能となり、フレキシブルバンド部材の他部品への悪影響をなくしたタコグラフを提供することを目的とする。
【０００８】
【課題を解決するための手段】
前記目的を達成するため、請求項１記載の発明は、ケーシングと、このケーシングにヒンジを介して旋回可能に支承されたカバーと、前記ケーシングとカバーとの間に掛け渡され前記カバーの最大開角度を規制するストッパ機構とを備えたタコグラフであって、前記ストッパ機構は、前記ケーシングとカバーとの間に掛け渡され前記カバー側に高剛性部分を部分的に設けてなるフレキシブルバンド部材と、前記カバーに突設され、前記カバーの閉時に前記高剛性部分の一部に当接して前記フレキシブルバンド部材を前記ヒンジ方向に押圧するガイド部材とを備えていることを特徴とするものである。
【０００９】
このため、請求項１記載の発明では、カバーの閉時にガイド部材がフレキシブルバンド部材を押し込む際に高剛性部分によりフレキシブルバンド部材の捩れが阻止され、正確にフレキシブルバンド部材がケーシングとカバーとの間に折り畳まれる。
【００１０】
また、請求項２記載の発明は、ケーシングと、このケーシングに旋回可能に支承されたカバーと、前記ケーシングとカバーとの間に掛け渡され前記カバーの最大開角度を規制するストッパ機構とを備えたタコグラフであって、前記ストッパ機構は、前記ケーシングとカバーとの間に係止部材を介して掛け渡されるフレキシブルバンド部材を備え、前記係止部材は、前記ケーシングおよびカバーに係止される本体部と、この本体部から折曲げ形成されたバンドガイドとを有し、該バンドガイドは中間に前記フレキシブルバンド部材が挿入される挿入孔が、先端に前記フレキシブルバンド部材の表面に当接し、前記カバーの閉時に前記フレキシブルバンド部材を押し込む係合部が各々形成された構成であることを特徴とするものである。
【００１１】
このため、請求項２記載の発明では、カバーの閉時にバンドガイドでフレキシブルバンド部材が押し込まれ、これにより、フレキシブルバンド部材の捩れが阻止され、正確にフレキシブルバンド部材がケーシングとカバーの間に折り畳まれる。
【００１２】
また、請求項３記載の発明は、請求項２記載のタコグラフであって、前記係合部は、前記カバーの全閉時に相手方の係合部と相互に重なって係合するように構成されていることを特徴とするものである。
【００１３】
このため、請求項３記載の発明では、カバーが閉じられたとき係合部は重なり合ってばね力で係合し、これにより、カバーとケーシングがロック状態で保持される。
【００１４】
【発明の実施の形態】
以下、本発明の実施の形態を図面に基づいて説明する。なお、図１乃至図６において、図８および図９と同一部材または同一機能のものは同一符号で示している。
【００１５】
図１は、本発明に係るタコグラフの第１実施の形態を示す断面図である。
【００１６】
同図に示すように、このタコグラフ１は、ケーシング２と、このケーシング２にヒンジ７を介して旋回可能に支承されたカバー３とを備え、カバー３にはチャート紙２４が設けられている。ケーシング２とカバー３との間にストッパ機構４が掛け渡されている。
【００１７】
図２に示すように、上記ストッパ機構４は、ケーシング２とカバー３との間に掛け渡されるフレキシブルバンド部材５と、カバー３に架設されたガイド部材６とで構成されている。このフレキシブルバンド部材５は、例えば、圧延したポリプロピレン等のプラスチックにより長尺に成形されており、両端には板厚の厚いバックル状の係止部材８、９が一体に形成されている。そして、一方の係止部材８をケーシング２の側壁に形成したポケット１２に強制的に差し込み、かつ他方の係止部材９をカバー３の側壁に形成したポケット１３に強制的に差し込むことによって、ケーシング２とカバー３との間に掛け渡されている。
【００１８】
フレキシブルバンド部材５には、カバー３寄り、すなわち、係止部材９寄りの表面部分に剛性を高くした高剛性部１１を形成している。この高剛性部１１は、図示のように別部材を貼り付けることにより形成してもよいし、あるいはフレキシブルバンド部材５をこの部分だけ肉厚を大きくして形成してもよいし、さらには、硬化性の溶剤等を混ぜ合わせて硬化し、この部分の剛性を大きくする構成でもよい。
【００１９】
上記ガイド部材６は、高剛性部１１の上方に被さるようにカバー３から延出している。
【００２０】
次に、ケーシング２を閉じる動作を説明する（図３〜図５参照）。
【００２１】
図３に示すように、カバー３をヒンジ７を支点に回動させると、フレキシブルバンド部材５がたるむと共に、ガイド部材６が高剛性部１１の上端に当接し、フレキシブルバンド部材５に内方向、すなわち、矢印１０方向へ力を加えながらカバー３は閉じられていく。そして、最終的に、図４に示すようにフレキシブルバンド部材５は、ケーシング２とカバー３の間に折り畳まれて収容された状態となる。
【００２２】
上記のように、本実施の形態のタコグラフでは、フレキシブルバンド部材５に高剛性部分１１を形成することにより、この部分１１をガイド部材６が押し込む際フレキシブルバンド部材５が捩れることがなくなり、正確にフレキシブルバンド部材５がケーシング２とカバー３の間に折り畳まれる。したがって、フレキシブルバンド部材５が、ケーシング２、カバー３等に引っ掛って開閉に支障を来したり、あるいはチャート紙２４等に触れてこれに傷を付けたりすることがなくなる。
【００２３】
図５乃至図７は、本発明のタコグラフの第２実施の形態を示している。
【００２４】
本実施の形態では、フレキシブルバンド部材５は、前述した第１実施の形態と同様の材質で形成されており、ポケット１２、１３に挿入された係止部材１４、１５によりケーシング２およびカバー３に固定されている。
【００２５】
係止部材１４、１５は、ばね性を有する金属薄板で形成されると共に、図７に示すように、ヘアピン状の本体部１６の先端に略直角に折曲されたバンドガイド２３が形成されたものである。上記本体部１６の対向面には止め歯１７、１８が形成され、上辺部にはバンド係止片１９が切り起こしで形成され、下辺部には抜け止め片２０が切り起こしで形成されている。バンドガイド２３には挿入孔２１が形成され、かつ先端には半円形に湾曲された係合部２２が形成されている。
【００２６】
図５に示すように、フレキシブルバンド部材５は、挿入孔２１に挿入されると共に先端部が本体部１６に挟まれ、止め歯１７、１８とバンド係止片１９で係止され、かつ、抜け止め片２０でポケット１２、１３の内壁に係止し、かつ係合部２２は、フレキシブルバンド部材５の表面側に突出してこの表面を押さえている。
【００２７】
カバー３を閉じるとき、バンドガイド２３でフレキシブルバンド部材５を内方向、すなわち、矢印３０方向へ力を加えながらカバー３は閉じられていく。そして、最終的に、図６に示すようにフレキシブルバンド部材５はケーシング２とカバー３の間に折り畳まれて収容された状態となる。
【００２８】
このとき係合部２２は、重なり合ってばね力で係合し、これにより、カバー３とケーシング２がロック状態で保持されると共に、操作するものにクリック感を付与することができる。
【００２９】
上記のように、本実施の形態のタコグラフでは、フレキシブルバンド部材５をバンドガイド２３を有する係止部材１４、１５に取り付け、カバー３の閉時にバンドガイド２３でフレキシブルバンド部材５を押し込むようにしたので、フレキシブルバンド部材５が捩れることがなくなり、正確にフレキシブルバンド部材５がケーシング２とカバー３の間に折り畳まれる。
【００３０】
したがって、フレキシブルバンド部材５が、ケーシング２、カバー３等に引っ掛って開閉に支障を来したり、あるいはチャート紙２４等に触れてこれに傷を付けたりすることがなくなる。
【００３１】
【発明の効果】
以上、詳述したように、請求項１記載の発明によれば、フレキシブルバンド部材に高剛性部分を設け、この高剛性部分に当接してフレキシブルバンド部材を内方向に押圧するガイド部材をカバーに設けたので、カバーの閉時にガイド部材がフレキシブルバンド部材を押し込む際に高剛性部分によりフレキシブルバンド部材の捩れが阻止され、正確にフレキシブルバンド部材がケーシングとカバーの間に折り畳まれる。したがって、フレキシブルバンド部材が、ケーシング、カバー等に引っ掛って開閉に支障を来したり、あるいはチャート紙に触れて傷を付けたりすることがなくなる。
【００３２】
また、請求項２記載の発明によれば、カバーの閉時にバンドガイドでフレキシブルバンド部材を押し込むようにしたので、フレキシブルバンド部材の捩れが阻止され、正確にフレキシブルバンド部材がケーシングとカバーの間に折り畳まれる。したがって、フレキシブルバンド部材が、ケーシング、カバー等に引っ掛って開閉に支障を来したり、あるいはチャート紙に触れて傷を付けたりすることがなくなる。
【００３３】
また、請求項３記載の発明によれば、カバーの全閉時に相手方の係合部と相互に重なって係合するように構成したので、請求項２記載の発明の効果に加えて、カバーが閉じられたとき係合部は重なり合ってばね力で係合し、カバーとケーシングがロック状態で保持されると共に、操作するものにクリック感を付与することができる。
【図面の簡単な説明】
【図１】本発明のタコグラフの第１実施の形態を示す一部切欠側面図である。
【図２】図１の要部の拡大断面図である。
【図３】カバーの閉動作の途中の断面図である。
【図４】カバーの閉動作の終了時の断面図である。
【図５】本発明の第２実施の形態の要部の拡大断面図である。
【図６】第２実施の形態のカバーの閉動作の終了時の断面図である。
【図７】係止部材の断面図である。
【図８】従来のタコグラフの断面図である。
【図９】従来のタコグラフのカバー閉時の断面図である。
【符号の説明】
１  タコグラフ
２  ケーシング
３  カバー
４  ストッパ機構
５  フレキシブルバンド部材
６  ガイド部材
１１  高剛性部
１４  係止部材
１６  本体部
２１  挿入孔
２２  係合部
２３  バンドガイド
【図１】
0003880813.tif 000002
【図２】
0003880813.tif 000003
【図３】
0003880813.tif 000004
【図４】
0003880813.tif 000005
【図５】
0003880813.tif 000006
【図６】
0003880813.tif 000007
【図７】
0003880813.tif 000008
【図８】
0003880813.tif 000009
【図９】
0003880813.tif 000010